【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
前後方向（ＤＦ、ＤＲ）を規定する長手方向の回転軸（Ａ１）を有する工具軸（２０）であって、
前端（２４）に頭部受け入れポケット（２２）と、そこから前記長手方向の回転軸（Ａ１）に沿って後方向（ＤＲ）に延びる複数の切り屑フルート（２６）と、を含み、
前記頭部受け入れポケット（２２）は、前記長手方向の回転軸（Ａ１）を横切る支持表面（３０）及び中央凹部（３２）を有し、
前記中央凹部（３２）は、前記支持表面（３０）に形成され、前記長手方向の回転軸（Ａ１）に沿ってそこから後方向（ＤＲ）へ延び、
前記中央凹部（３２）は、複数の中間部（４０）と周方向に交互に位置するとともに間を空けて配置される複数の弾性的に位置変更可能な当接部（３８）を有し、
当接部（３８）のそれぞれは、径方向内側に向く当接表面（４２）を有し、
中間部（４０）のそれぞれは、二つの周方向に隣り合う当接表面（４２）に交差する中間表面（４４）を有する、工具軸（２０）。
【請求項２】
前記長手方向の回転軸（Ａ１）に垂直で、前記中央凹部（３２）を通る第１平面（Ｐ１）における断面において、
当接表面（４２）のそれぞれは、第１の周囲角度範囲（Ｅ１）を有し、
中間表面（４４）のそれぞれは、第２の周囲角度範囲（Ｅ２）を有し、
前記複数の当接表面（４２）及び前記複数の中間表面（４４）の結合された周囲角度範囲は、３６０度に等しい、請求項１に記載の工具軸（２０）。
【請求項３】
前記長手方向の回転軸（Ａ１）に垂直で、前記中央凹部（３２）を通る第１平面（Ｐ１）における断面において、
前記長手方向の回転軸（Ａ１）と同軸の仮想上の第１円（Ｃ１）は、前記中央凹部（３２）に内接する、請求項１又は２に記載の工具軸（２０）。
【請求項４】
前記複数の当接表面（４２）にかけられる径方向外側への力（ＦＯ）がないときに、前記仮想上の第１円（Ｃ１）は、第１直径（Ｄ１）を有し、
前記複数の当接表面（４２）にかけられる径方向外側への力（ＦＯ）があるときに、前記仮想上の第１円（Ｃ１）は、第１の負荷直径（ＤＬ１）を有し、
前記第１直径（Ｄ１）は、前記第１の負荷直径（ＤＬ１）よりも小さい、請求項３に記載の工具軸（２０）。
【請求項５】
前記第１平面（Ｐ１）の断面において、
前記長手方向の回転軸（Ａ１）と同軸の仮想上の第２円（Ｃ２）は、複数の第１フルート点（ＮＦ１）で前記複数の切り屑フルート（２６）と接し、
前記長手方向の回転軸（Ａ１）及び少なくとの前記第１フルート点（ＮＦ１）の一つを含む第３平面（Ｐ３）は、前記当接表面（４２）の少なくとも一つと交差する、請求項３又は４に記載の工具軸（２０）。
【請求項６】
径方向の軸（Ａ２）が、前記第１平面（Ｐ１）及び前記第３平面（Ｐ３）と交差するところに形成され、
第１フルート点（ＮＦ１）のそれぞれは、前記径方向の軸（Ａ２）に沿う隣接する当接表面（４２）から最小第１距離（ｄ１）に配置される、請求項５に記載の工具軸（２０）。
【請求項７】
前記第１平面（Ｐ１）の前記断面において、
切り屑フルート（２６）のそれぞれは、前記第１フルート点（ＮＦ１）から間を空けて位置する第２フルート点（ＮＦ２）を有し、
前記第２フルート点（ＮＦ２）は、隣接する中間表面（４４）から最小第２距離（ｄ２）に配置され、
前記最小第２距離（ｄ２）は、前記最小第１距離（ｄ１）と同じかそれよりも小さい、請求項６に記載の工具軸（２０）。
【請求項８】
前記仮想上の第１円（Ｃ１）は、前記複数の当接表面（４２）に接触する、請求項３〜７のいずれか１項に記載の工具軸（２０）。
【請求項９】
前記複数の中間表面（４４）は、前記支持表面（３０）の後方から中央凹部床（４５）までの第１凹部深さ（Ｈ１）へ延び、
前記複数の当接表面（４２）は、記支持表面（３）の後方の第２凹部深さ（Ｈ２）へ延び、前記中央凹部床（４５）から長手方向に間を空けて配置されており、
前記第１凹部深さ（Ｈ１）の前記第２凹部深さ（Ｈ２）に対する割合は、１．３〜２．５の間（１．３＜Ｈ１／Ｈ２＜２．５）である、請求項１〜８のいずれか１項に記載の工具軸（２０）。
【請求項１０】
前記中央凹部（３２）は、前記複数の切り屑フルート（２６）のいずれにも交差しない、請求項１〜９のいずれか１項に記載の工具軸（２０）。
【請求項１１】
前記複数の当接表面（４２）は、前記後方向（ＤＲ）で分岐する、請求項１〜１０のいずれか１項に記載の工具軸（２０）。
【請求項１２】
前記複数の中間表面（４４）は、前記支持表面（３０）に交差する、請求項１〜１１のいずれか１項に記載の工具軸（２０）。
【請求項１３】
前記複数の当接部（３８）は、径方向外側方向（ＤＯ）に弾性的に位置変更可能である、請求項１〜１２のいずれか１項に記載の工具軸（２０）。
【請求項１４】
前記支持表面（３０）に接する工具軸側面で、前記中央凹部（３２）の全体は隠れており、前記当接表面（４２）及び前記中間表面（４４）は、視認されない、請求項１〜１３のいずれか１項に記載の工具軸（２０）。
【請求項１５】
請求項１〜１４のいずれか１項に記載の工具軸（２０）と、前記頭部受け入れポケット（２２）に着脱可能に取り付けられる切削頭部（５４）と、を含む回転切削工具（５２）であって、
前記切削頭部（５４）は、切削部（５６）及び取付部（５８）を含み、
前記取付部（５８）は、底部表面（６０）及び頭部軸（Ａ３）に沿って前記底部表面（６０）から突出する係合部材（６２）を有し、
組み立て位置において、
前記底部表面（６０）は、前記支持表面（３０）に向き合い、
前記頭部軸（Ａ３）は、前記長手方向の回転軸（Ａ１）と一致し、前記係合部材（６２）は、前記複数の当接表面（４２）に向かって前記中央凹部（３２）に弾性的に保持される、回転切削工具（５２）。
【請求項１６】
前記長手方向の回転軸（Ａ１）に垂直で、前記中央凹部（３２）を通る第１平面（Ｐ１）における断面において、
前記長手方向の回転軸（Ａ１）と同軸の仮想上の第１円（Ｃ１）は、前記中央凹部（３２）に内接し、
組み立てられていない位置において、前記係合部材（６２）は、前記中央凹部（３２）に弾性的に保持されておらず、前記仮想上の第１円（Ｃ１）は、第１直径（Ｄ１）を有し、
組み立てられた位置において、前記仮想上の第１円（Ｃ１）は、第１組み立て直径（ＤＡ１）を有し、
前記第１直径（Ｄ１）は、第１組み立て直径（ＤＡ１）よりも小さい、請求項１５に記載の回転切削工具（５２）。
【請求項１７】
前記仮想上の第１円（Ｃ１）は、前記複数の当接表面（４２）に接する、請求項１６に記載の回転切削工具（５２）。
【請求項１８】
前記係合部材（６２）は、複数の接合表面（６６）と周方向に沿って交互に並び径方向外側に向く複数の係合表面（６４）を有し、
前記複数の係合表面（６４）は、複数の当接表面（４２）と接触する、請求項１５〜１７のいずれか１項に記載の回転切削工具（５２）。
【請求項１９】
前記長手方向の回転軸（Ａ１）に垂直で、前記中央凹部（３２）を通る第１平面（Ｐ１）における断面において、
前記長手方向の回転軸（Ａ１）と同軸の仮想上の第３円（Ｃ３）は、前記係合部材（６２）に外接する、請求項１８に記載の回転切削工具（５２）。
【請求項２０】
前記仮想上の第３円（Ｃ３）は、前記複数の係合表面（６４）に接触する、請求項１９に記載の回転切削工具（５２）。
【請求項２１】
前記複数の係合表面（６４）は、前記後方向（ＤＲ）で分岐する、請求項１８〜２０のいずれか１項に記載の回転切削工具（５２）。
【請求項２２】
前記底部表面（６０）は、支持表面（３０）か又は前記支持表面（３０）からずれる複数の肩表面（６３）に接触する、請求項１５〜２１のいずれか１項に記載の回転切削工具（５２）。
【請求項２３】
請求項１５〜２２のいずれか１項に記載の回転切削工具（５２）の組み立て方法であって、
前記係合部材（６２）は、複数の接合表面（６６）と周方向に沿って交互に並び径方向外側に向く複数の係合表面（６４）を有し、
ｆ）前記底部表面（６０）を前記支持表面（３０）に向ける工程と、
ｇ）頭部軸（Ａ３）を前記長手方向の回転軸（Ａ１）と合わせて並べる工程と、
ｈ）複数の係合表面（６４）を回転させながら複数の中間表面（４４）と合わせて並べる工程と、
ｉ）前記係合部材（６２）を前記中央凹部（３２）に挿入する工程と、
ｊ）前記複数の係合表面（６４）が前記複数の当接表面（４２）に向かって弾性的に保持されるまで、前記切削頭部（５４）を前記頭部軸（Ａ３）の周りで回転させる工程と、を含む、切削工具（５２）の組み立て方法。